(57)【要約】【課題】給紙される用紙を分離するための分離爪が原因で給紙不良が発生することを防止する給紙カセットおよび給紙装置を提供する。【解決手段】給紙カセット１６には、給紙される用紙の先端に当接するように給紙方向の先端側の両側端部に配置され、かつ、回動自在に支持されて上下方向に変位する分離爪５１，５２と、給紙される用紙を載置し、かつ、前記分離爪の回動中心より給紙方向の後方に配置される支点を中心に回動して上下方向に変位する用紙載置板２９が設けられており、分離爪５１，５２が下方向に変位するときに、分離爪が５１，５２が給紙方向に変位するように、分離部材５０の支持部５０Ａの位置を用紙載置板２９の下限位置よりも下方に配置する。【選択図】図５
2005112561.tif 000002
【特許請求の範囲】
【請求項１】
給紙される用紙の先端に当接するように給紙方向の先端側の両側端部に配置され、かつ、回動自在に支持されて上下方向に変位する分離爪と、
給紙される用紙を載置し、かつ、前記分離爪の回動中心より給紙方向の後方に配置される支点を中心に回動して上下方向に変位する用紙載置板と、を含み、
前記分離爪が下方向に変位するときに前記分離爪が給紙方向に変位するように、前記分離爪の回動中心を配置したことを特徴とする給紙カセット。
【請求項２】
給紙される用紙の先端に当接するように給紙方向の先端側の両側端部に配置され、かつ、回動自在に支持されて上下方向に変位する分離爪と、
給紙される用紙を載置し、かつ、前記分離爪の回動中心より給紙方向の後方に配置される支点を中心に回動して上下方向に変位する用紙載置板と、を含み、
前記分離爪の回動中心が、前記用紙載置板に載置された用紙の下限位置より下方に配置されることを特徴とする給紙カセット。
【請求項３】
前記分離爪の給紙方向の先端と前記分離爪の回動中心との給紙方向における距離が少なくとも３０ｍｍ以上であることを特徴とする請求項１または２に記載の給紙カセット。
【請求項４】
給紙される用紙の先端に当接するように給紙方向の先端側の両側端部に配置され、かつ、回動自在に支持されて上下方向に変位する分離爪と、
給紙される用紙を載置し、かつ、前記分離爪の回動中心より給紙方向の後方に配置される支点を中心に回動して上下方向に変位する用紙載置板と、
前記用紙載置板の上方に配置されるピックアップローラと、を含み
ピックアップローラの回転速度ωが
Ｇ／ｒω2 ≧５  （Ｇ：重力加速度，ｒ：ピックアップローラの半径）
を満たすように設定されることを特徴とする給紙装置。
【発明の詳細な説明】
【技術分野】
【０００１】
この発明は、給紙される用紙の収容する給紙カセット、およびこの給紙カセットを含む給紙装置に関する。
【背景技術】
【０００２】
プリンタ等の画像形成装置において、印刷される用紙は給紙カセットに収容される。印刷される用紙は、給紙カセットから用紙搬送路を経由して印刷位置に搬送される。そして、印刷位置にて所望の印刷処理が行われ、印刷処理された用紙が画像形成装置の外部に排出される。
【０００３】
ここで、印刷処理を適正に行うためには、給紙カセットから印刷位置に用紙を供給する給紙動作を適正に行う必要がある。この給紙動作において、給紙カセットから用紙搬送路に１枚ずつ確実に用紙を送り出すことが特に重要である。
【０００４】
そこで、従来技術の中には、給紙カセットにおける給紙方向の先端側の両端部に分離爪を配置するものがある（例えば、特許文献１，特許文献２参照。）。この分離爪は、給紙方向における用紙の先端側に当接して、給紙カセットにおける最上位の用紙以外の用紙が用紙搬送路に送り出されることを防止する。
【特許文献１】特開平１１−２９２２６号公報
【特許文献２】特開平１０−２９７７８６号公報
【発明の開示】
【発明が解決しようとする課題】
【０００５】
しかしながら、特許文献１および２を含む従来技術では、分離爪によって給紙動作が妨げられることや用紙ジャム等の給紙不良が生じることがあった。この給紙不良は、用紙の先端部と分離爪との当接力が過大であったり、またはこの当接力が不足していることが原因となることが多い。
【０００６】
特に、給紙される用紙のリフトアップ動作に同期して、回動自在の分離爪が押し上げられる構成の給紙カセットでは、押し上げられた分離爪が自重で下方に変位する際に、用紙の先端部が分離爪に引っ掛かる等により給紙不良が発生することもあった。
【０００７】
この発明の目的は、給紙される用紙を分離するための分離爪が原因で給紙不良が発生することを防止する給紙カセットおよび給紙装置を提供することである。
【課題を解決するための手段】
【０００８】
この発明は以下の構成を備えている。
【０００９】
（１）給紙される用紙の先端に当接するように給紙方向の先端側の両側端部に配置され、かつ、回動自在に支持されて上下方向に変位する分離爪と、
給紙される用紙を載置し、かつ、前記分離爪の回動中心より給紙方向の後方に配置される支点を中心に回動して上下方向に変位する用紙載置板と、を含み、
前記分離爪が下方向に変位するときに前記分離爪が給紙方向に変位するように、前記分離爪の回動中心を配置したことを特徴とする。
【００１０】
この構成においては、給紙カセットに用紙載置板および分離爪が設けられており、分離爪が下方向に回動しつつ給紙方向に変位するように分離爪の回動中心が配置される。ここで、用紙載置板には給紙される用紙が積載される。また、分離爪は、用紙載置板上に積載された用紙の給紙方向の先端に当接し、一度に２枚以上の用紙が給紙されることを防止する。分離爪を支持する構成の代表例として、給紙カセットにおける所定の位置に軸支された支持部材の端部に分離爪が形成される構成が挙げられる。
【００１１】
給紙時における用紙載置板の回動に伴って押し上げられた分離爪は、用紙に当接しつつ自重によって下方に回動する。この際、下方に回動するにつれて、分離爪は給紙方向、すなわち用紙の先端部から遠ざかる方向に変位する。
【００１２】
（２）給紙される用紙の先端に当接するように給紙方向の先端側の両側端部に配置され、かつ、回動自在に支持されて上下方向に変位する分離爪と、
給紙される用紙を載置し、かつ、前記分離爪の回動中心より給紙方向の後方に配置される支点を中心に回動して上下方向に変位する用紙載置板と、を含み、
前記分離爪の回動中心が、前記用紙載置板に載置された用紙の下限位置より下方に配置されることを特徴とする。
【００１３】
この構成においては、給紙カセットが、回動自在の分離爪および回動自在の用紙載置板を備えている。このとき、分離爪の回動中心は用紙載置板の回動中心より給紙方向の先端側に配置されている。また、用紙載置板上の用紙の下限位置より下方に分離爪の回動中心が配置される。なお、分離爪の回動中心の代表例として、分離爪を支持する支持部材の回動軸が挙げられる。
【００１４】
このように、分離爪の回動中心の位置を下方に移動させたことにより、押し上げられた分離爪が下方に変位するときに給紙方向にも変位する。
【００１５】
（３）前記分離爪の給紙方向の先端と前記分離爪の回動中心との距離が少なくとも３０ｍｍ以上であることを特徴とする。
【００１６】
この構成においては、分離爪の給紙方向の先端と分離爪の回動中心との給紙方向における距離が３０ｍｍ以上になるように分離爪および分離爪の支持部材が設計されている。これは、分離爪の給紙方向の先端と分離爪の回動中心との距離が近すぎると、押し上げられた分離爪が下方に変位する際に、分離爪の下方への変位に対する給紙方向の変位の割合が大きくなり過ぎることを考慮したものである。
【００１７】
（４）給紙される用紙の先端に当接するように給紙方向の先端側の両側端部に配置され、かつ、回動自在に支持されて上下方向に変位する分離爪と、
給紙される用紙を載置し、かつ、前記分離爪の回動中心より給紙方向の後方に配置される支点を中心に回動して上下方向に変位する用紙載置板と、
前記用紙載置板の上方に配置されるピックアップローラと、を含み
ピックアップローラの回転速度ωが
Ｇ／ｒω2 ≧５  （Ｇ：重力加速度，ｒ：ピックアップローラの半径）
を満たすように設定されることを特徴とする。
【００１８】
この構成においては、給紙装置が、分離爪、用紙載置板、およびピックアップローラを備えており、ピックアップローラ回転速度が所定の速度に設定されている。このピックアップローラ回転速度は、押し上げられた分離爪が自重で下方に変位する際の加速度と、ピックアップローラの加速度と、が所定の比になるように設定される。
【００１９】
ピックアップローラが回転することによりピックアップローラの周面に当接する用紙は下方に押し下げられる。この際、分離爪も自重により下方に移動する。ここでは、ピックアップローラの周面に当接して下方に移動する際の用紙の加速度と、これに追従して下方に移動する分離爪の加速度と、の比が所定の範囲の値になるようにピックアップローラの回転速度が制御される。
【００２０】
なお、この所定の範囲の値は、給紙不良の原因となる追従誤差を小さくできる値を、実験によって求めている。例えば、Ｇ／ｒω2 ≧１０である場合には、追従誤差がわずか０．５ｍｍ以下になる。
【発明の効果】
【００２１】
この発明によれば、以下の効果を奏することができる。
【００２２】
（１）給紙動作に際して押し上げられた分離爪が元の位置に戻る際に、分離爪と用紙との間の空間が広がるため、用紙の先端部と分離爪とが不用意に接触することを防止できる。このため、分離爪が用紙の降下にスムーズに追従し、用紙の二重送り等を防止することが可能になる。また、用紙が分離爪に引っ掛かって給紙不良が生じるという不具合を防止することができる。
【００２３】
（２）給紙時の用紙載置板の動作に伴って分離爪が回動する際に、給紙される用紙と分離爪との間の当接力を適度に保つことができる。このため、用紙載置板に載置される用紙の量にかかわらず、分離爪が原因で給紙不良が発生することを防止することが可能になる。
【００２４】
（３）分離爪が下方に変位する際に、給紙される用紙と分離爪とが適度な強さで互いに当接するため、用紙の二重送り等が生じることを防止することが可能になる。
【００２５】
（４）ピックアップローラの回転速度を好適に保ち、給紙ジャムや用紙の二重送り等の給紙不良の発生を防止することが可能になる。
【発明を実施するための最良の形態】
【００２６】
以下、図を用いて本発明の画像形成装置の実施形態であるディジタル複写機を説明する。
【００２７】
同図に示すように、ディジタル複写機１は、大別すると原稿読取部２０および画像形成部１０によって構成される。
【００２８】
原稿読取部２０は、透明ガラスからなる原稿台２１と、原稿台２１に載置された原稿の画像を読み取るスキャナユニット３０と、原稿台２１へと自動的に原稿を供給搬送するための両面対応自動原稿送り装置（以下、ＲＡＤＦという。）２２とを備えている。
【００２９】
原稿台２１は、固定原稿方式の原稿読取時に使用される原稿台２１ａ、およびＲＡＤＦ２２を用いた原稿送り方式の原稿読取時に使用される原稿台２１ｂに分けられる。ＲＡＤＦ２２は、図示しない原稿トレイを備えており、この原稿トレイ上にセットされた複数枚の原稿を１枚ずつ自動的に原稿台２１ｂ上に搬送する。また、ＲＡＤＦ２２は、ユーザの選択に応じて原稿の片面または両面をスキャナユニット３０に読み取らせるために、片面原稿のための搬送経路、両面原稿のための搬送経路、搬送経路切り換え手段、各部を通過する原稿の状態を把握し管理するセンサ群等を備えている。
【００３０】
スキャナユニット３０は、原稿面上を露光するランプリフレクタアセンブリ３３および原稿からの反射光像を光電変換素子（以下、ＣＣＤという。）３８に導く第１の反射ミラー３４を搭載する第１の走査ユニット３１と、第１の走査ユニット３１からの反射光像をＣＣＤ３８に導くための第２の反射ミラー３５および第３反射ミラー３６を搭載する第２の走査ユニット３２と、原稿からの反射光像をＣＣＤ３８上に結像させるための光学レンズ３７と、原稿からの反射光像を電気的画像信号に変換するＣＣＤ３８と、を備えている。本実施形態では、ランプリフレクタアセンブリ３３が本発明の照射用ランプを構成する。
【００３１】
原稿読取部２０は、ＲＡＤＦ２２とスキャナユニット３０の関連した動作により、原稿台２１上に読み取るべき原稿を順次載置させながら、原稿台２１の下面に沿ってスキャナユニット３０を移動させて原稿画像を読み取る。なお、第１走査ユニット３１は原稿台２１に沿って図中の左から右へと一定速度Ｖで移動し、第２走査ユニット３２はその速度Ｖに対してＶ／２の速度で同一方向に平行に移動するように駆動される。
【００３２】
上述の原稿読取部２０の構成により、原稿台２１上に載置された原稿の画像を１ライン毎に順次ＣＣＤ４４へと結像させて原稿の画像が読み取られる。スキャナユニット３０が読み取った画像データは、図示しない画像処理部に送られて各種の画像処理が施された後、ディジタル複写機１に備えられた記憶部に一旦記憶され、出力指示に応じて画像形成部１０に転送される。
【００３３】
画像形成部１０には、画像形成処理される用紙が収容される給紙カセット１６から画像形成位置を経由して用紙を外部に排出する排紙ローラ１７までの間に用紙搬送路が形成されている。なお、給紙カセット１６の近傍には、給紙カセット１６内の用紙を用紙搬送路に送り出すためのピックアップローラ６０が配置される。
【００３４】
また、画像形成部１０は、用紙搬送路に沿って用紙の搬送系、レーザ書き込みユニット１１、および画像を形成するための電子写真プロセス部１３が設けられている。なお、本実施形態ではレーザ書き込みユニット１１および画像を形成するための電子写真プロセス部１３によって本発明の画像形成ユニットが構成される。
【００３５】
レーザ書き込みユニット１１は、上述の原稿読取部２０から供給される画像データ、またはパソコン等の外部機器から転送されてくる画像データに応じてレーザ光を出射する半導体レーザ光源、レーザ光を等角速度偏向するポリゴンミラー、等角速度で偏向されたレーザ光が電子写真プロセス部１３における感光体ドラム上で等角速度で偏向されるように補正するｆ−θレンズなどを備えている。
【００３６】
電子写真プロセス部１３は、像担持体としての感光体ドラムの周囲に、感光体ドラムを一様に帯電する帯電器、レーザ書き込みユニット１１によって感光体ドラム上に形成された静電潜像に現像剤を供給する現像器、感光体ドラム上の現像剤像を用紙に転写する転写器、感光体ドラムから用紙を剥離する剥離器、感光体ドラムに残留した現像剤を除去するクリーニング器、および感光体ドラム表面を除電する除電器を備えている。
【００３７】
また、用紙搬送路における電子写真プロセス部１３の上流側には、給紙カセット１６に収容されている用紙を電子写真プロセス部１３における感光体ドラムと転写機との間の転写位置に用紙を搬送する搬送部１５が配置されている。また、用紙搬送路における電子写真プロセス部１３の下流側には、用紙に付着した未定着の現像剤像を熱と圧力によって用紙に定着させる定着器１２が配置されている。さらに、定着器１２の下流側には、定着後の用紙の裏面に再度画像を形成するために用紙を再供給するための再供給経路１４が配置されている。
【００３８】
図２および図３は、給紙カセット１６の構成を示す斜視図である。また、図４は、給紙カセット１６の構成を示す平面図である。
【００３９】
図２に示すように、給紙カセット１６は、ディジタル複写機１の前面側に配置される前面板１６Ａ、および前面板１６Ａに接続される筐体１６Ｂを備えている。なお、同図において矢印Ｙは、ディジタル複写機１に対する給紙カセット１６の挿入方向を示している。
【００４０】
筐体１６Ｂには、用紙載置板２９、ガイド部材２６〜２８、および分離部材５０が設けられる。
【００４１】
用紙載置板２９は、給紙される用紙を積載する。用紙載置板２９は、筐体１６Ｂにおける給紙方向（矢印Ｘ方向）の後端側の両端部に位置する支持部２９Ａを中心に回動自在にされている。用紙載置板２９の下面側には図示しないスプリングが配設されている。このスプリングは、用紙載置板２９に対して用紙載置板２９を押し上げる方向に力を加える。なお、スプリングによって用紙載置板２９が押し上げられた状態の給紙カセット１６を図２に示している。
【００４２】
ガイド部材２６およびガイド部材２７は、用紙の幅方向（給紙方向に直交する方向）の両端部に当接して用紙の位置決めを行う。ガイド部材２６およびガイド部材２７は、用紙の幅方向において移動自在にされており、用紙サイズに応じて適正な位置に配置される。一方、ガイド部材２８は、用紙における給紙方向の後端部に当接する。ガイド部材２８は、筐体１６Ｂの底部における給紙方向の複数の位置に選択的に取り付けられる。ガイド部材２６，２７と同様に、ガイド部材２８の取り付け位置は、用紙サイズによって決定される。
【００４３】
分離部材５０は、筐体１６Ｂにおける給紙方向の先端側の両端部に位置する後述の支持部５０Ａを中心に回動自在にされている。分離部材５０の端部には、用紙の給紙方向の先端に当接しつつ給紙される用紙を分離する分離爪５１，５２が形成される。分離爪５１，５２は、給紙方向の先端の両側端部に配置される。
【００４４】
図５および図６は、給紙カセット１６の動作を示す図である。図５は、用紙載置板２９上に載置される用紙が１枚のときを示しており、図６は、用紙載置板２９上に載置される用紙が多数のときを示している。特に、給紙時における用紙載置板２９、分離部材５０、およびピックアップローラ６０に着目して説明する。このため、図５および図６において、用紙載置板２９、分離部材５０、およびピックアップローラ６０以外の構成は図示を省略している。
【００４５】
図５および図６において、（ａ）および（ｂ）は、従来の給紙カセットの構成を示している。一方、図５および図６において、（ｃ）および（ｄ）は、本願の給紙カセットの構成を示している。従来の給紙カセットにおいても、本願の給紙カセットに対応する箇所には、本願と同様の参照符号を付している。
【００４６】
図５に示すように、半径ｒの円を基本的構成とするピックアップローラ６０は、給紙時に角速度ωで回転駆動される。また、給紙時には、ピックアップローラ６０の周面に当接する位置まで用紙を押し上げるため、用紙載置板２９はスプリングによって上方向に力を加えられ図中の反時計方向に回動する。
【００４７】
用紙載置板２９が押し上げられる際に、用紙載置板２９上の用紙の先端が分離爪５１，５２に当接する。このため、用紙を介して用紙載置板２９から分離爪５１，５２に上方向の力が加えられる。分離爪５１，５２に上方向の力が加えられると、分離部材５０が支持部５０Ａを中心に反時計方向に回動する。
【００４８】
図５（ａ）〜（ｄ）のそれぞれの図は、上限位置に達した分離部材５０が自重によって下方向に変位する際の動作を示している。
【００４９】
従来、図５（ａ）および（ｂ）に示すように、分離部材５０の回動中心が用紙載置板２９の下限位置よりも上方に配置されていた。このため、分離部材５０が自重によって下方に移動する際に、分離爪５１，５２が、用紙の給紙方向と逆方向に変位していた。このため、分離部材５０が自重によって下方に変位する際に、用紙先端近傍のクリアランスが狭くなり、分離爪５１，５２に用紙が引っ掛かって給紙不良が生じることがあった。
【００５０】
これに対して、本発明では、分離部材５０が自重によって下方に移動する際に、分離爪５１，５２が、用紙の給紙方向に変位するように分離部材５０が構成されている。具体的には、分離部材５０の支持部５０Ａが用紙載置板２９の下限位置よりも下方に配置されている。この構成によれば、分離部材５０が自重によって下方に移動する際に、分離爪５１，５２は給紙方向に変位する。
【００５１】
このため、分離部材５０が自重によって下方に変位する際に、用紙先端近傍のクリアランスが十分にとれるため、分離爪５１，５２に用紙が引っ掛かって給紙不良が生じることを防止することができる。さらに、用紙の降下に対して分離爪５１，５２がスムーズに追従するため、用紙の二重送りや多重送りを防止することができる。なお、本実施形態では、支持部５０Ａが本発明の分離爪の回動中心を構成する。
【００５２】
図７は、本発明の給紙カセットの効果を示す図である。同図において、爪ジャムとは、分離爪５１，５２に用紙が引っ掛かって給紙不良が生じることをいう。
【００５３】
同図に示すように、従来の給紙カセットにおいて、１２４００枚の用紙の給紙する際に１１回の爪ジャムと２回の多重フィードが生じていた。また、これに対して、本発明の給紙カセット１６では、１２４００枚の用紙を給紙する際に、爪ジャムおよび多重フィードが一度も生じることがなかった。なお、その後も給紙を継続し、１７５００枚の用紙の給紙した際に１度だけ爪ジャムが発生したが、多重フィードは一度も発生しなかった。
【００５４】
このように、本発明の給紙カセット１６では、分離部材５０の回動軸を用紙載置板２９の下限位置よりも下方にしたことにより爪ジャムの発生が抑制されている。
【００５５】
図８（ａ）は、ピックアップローラ６０の回転角と、用紙上面の変位，速度，加速度との関係を示している。
【００５６】
半径ｒ、速度ωのピックアップローラ６０による用紙上面の軌跡の高さ成分Ｙ（ｔ）は、
Ｙ（ｔ）＝ｒ×（１＋ｓｉｎωｔ）−ｄｈ  …（式１）
で表される。ここで、ｄｈは、用紙上面の沈み込み高さである。
【００５７】
（式１）の両辺をｔで微分すると、
Ｙ′（ｔ）＝ｖ（ｔ）＝ω×ｒ×ｃｏｓωｔ  …（式２）
が求められる。
【００５８】
（式２）の両辺をさらにｔで微分すると、
Ｙ″（ｔ）＝ｖ′（ｔ）＝α（ｔ）＝−ω2 ×ｒ×ｓｉｎωｔ  …（式３）
が求められる。
【００５９】
ここで、ピックアップローラ６０が用紙との接触を開始する接触開始角をθp をすると、接触開始時のピックアップローラ６０の回転加速度αp は、
αp ＝−ω2 ×ｒ×ｓｉｎωｔ  …(式４)
で表される。
【００６０】
（式４）より、ピックアップローラ６０の加速度の最大値αmax が、
αmax ＝ω2 ×ｒとなる。
【００６１】
これに対して、分離爪５１，５２の落下距離Ｚ（ｔ）は、自重を考慮して、
Ｚ（ｔ）＝−（１／２）×Ｇ×ｔ2   …（式５）
になる。ただし、（式５）において、Ｇは重力加速度である。
【００６２】
そして、（式５）−（式４）によって追従誤差ΔＹを、
ΔＹ＝Ｚ（ｔ）−Ｙ（ｔ）  …（式６）
で表すことができる。
【００６３】
図８（ｂ）は、加速度比と追従誤差との関係を示している。ここで、加速度比とは、重力加速度Ｇをピックアップローラ６０の加速度の最大値αmax で割った値である。一般的に追従誤差は、少ない程好ましい。具体的には、追従誤差は、１．０ｍｍ以下であることが好ましい。また、追従誤差が０．５ｍｍ以下であることがさらに好ましい。
【００６４】
図８（ｂ）に示すように、加速度比が５以上のときに追従誤差が好適な値になる。さらに、加速度比が１０以上のときには、追従誤差が０．５ｍｍ以下になる。このように、本発明では、追従誤差の値を低減させることにより、爪ジャムや多重フィードの発生を防止している。
【００６５】
図９（ａ）は、分離部材５０の支持部５０Ａと、分離爪５１，５２の給紙方向の先端との給紙方向における距離Ｘと、離脱距離ｄＸとの関係を示している。ここで、ｙは、分離爪５１，５２の配置位置の高さを示している。このｙは、ピックアップローラ６０の周面の下限位置を基準に下側にプラス、上側にマイナスにされている。ピックアップローラ６０の接線離脱距離ｄＸとは、分離部材５０が下方に変位する際における、分離爪５１，５２の給紙方向の変位量である。同図に示すように、距離Ｘが３０ｍｍ未満のときには、離脱距離ｄＸが過大になるため、本発明では距離Ｘが３０ｍｍ以上になるように分離部材５０や分離爪５１，５２を設計している。最後に、図９（ｂ）に、上述の距離Ｘと正規化離脱距離との関係を示す。
【図面の簡単な説明】
【００６６】
【図１】本発明が適用されるディジタル複写機１の構成を示す図である。
【図２】本発明の給紙カセットの概略構成を示す斜視図である。
【図３】本発明の給紙カセットの概略構成を示す斜視図である。
【図４】本発明の給紙カセットの概略構成を示す平面図である。
【図５】本発明の給紙カセットと従来の給紙カセットとの構成の相違を示す図である。
【図６】本発明の給紙カセットと従来の給紙カセットとの構成の相違を示す図である。
【図７】本発明の給紙カセットと従来の給紙カセットとの効果の相違を示す図である。
【図８】本発明の給紙カセットの動作の分析結果を示す図である。
【図９】本発明の給紙カセットの動作の分析結果を示す図である。
【符号の説明】
【００６７】
１−ディジタル複写機
１６−給紙カセット
１６Ａ−前面板
１６Ｂ−筐体
２６〜２８−ガイド部材
２９−用紙載置板
５０−分離部材
５１，５２−分離爪
【図１】
2005112561.tif 000003
【図２】
2005112561.tif 000004
【図３】
2005112561.tif 000005
【図４】
2005112561.tif 000006
【図５】
2005112561.tif 000007
【図６】
2005112561.tif 000008
【図７】
2005112561.tif 000009
【図８】
2005112561.tif 000010
【図９】
2005112561.tif 000011